【手続補正書】
【提出日】平成17年7月14日(2005.7.14)
【手続補正１】
【補正対象書類名】明細書
【補正対象項目名】全文
【補正方法】変更
【補正の内容】
【書類名】  明細書
【発明の名称】  ＭＲＩ装置及び画像のＷＷ／ＷＬの設定方法
【特許請求の範囲】
【０００１】
【請求項１】  ＭＲＩ装置により得られた複数スライスの対象画像に対してその画面表示の際のＷＷ（ウィンドウ幅）及びＷＬ（ウィンドウレベル）を設定する方法であって、
【０００２】
前記対象画像の内の任意の複数スライスの対象画像を選択するステップと、
選択された選択画像のＷＷ及びＷＬを設定するステップと、
前記選択画像で設定されたＷＷ及びＷＬから、ＷＷ及びＷＬの高次方程式を求めるステップと、
前記高次方程式に基づいて前記対象画像の内の残りの対象画像のＷＷ及びＷＬを決定するステップと、を備えることを特徴とする画像のＷＷ／ＷＬの設定方法。
【請求項２】  前記高次方程式の所定係数を変更可能に設定し、この係数設定値に基づいて前記対象画像のＷＷ及びＷＬを一括して決定するステップをさらに備えることを特徴とする画像のＷＷ／ＷＬの設定方法。
【請求項３】  前記高次方程式は、二次方程式であることを特徴とする請求項１又は２記載の画像のＷＷ／ＷＬの設定方法。
【請求項４】  複数スライスの対象画像に対してその画面表示の際のＷＷ（ウィンドウ幅）及びＷＬ（ウィンドウレベル）を設定する処理手段を有するＭＲＩ装置であって、
【０００３】
前記処理手段は、
前記対象画像の内の任意の複数スライスの対象画像を選択する手段と、
選択された選択画像のＷＷ及びＷＬを設定する手段と、
前記選択画像で設定されたＷＷ及びＷＬから、ＷＷ及びＷＬの高次方程式を求める手段と、
前記高次方程式に基づいて前記対象画像の内の残りの対象画像のＷＷ及びＷＬを決定する手段とを備えたことを特徴とするＭＲＩ装置。
【請求項５】  前記処理手段は、前記高次方程式の所定係数を変更可能に設定し、この係数設定値に基づいて前記対象画像のＷＷ及びＷＬを一括して決定する手段をさらに備えた請求項４記載のＭＲＩ装置。
【発明の詳細な説明】
【０００４】
【発明の属する技術分野】
【０００５】
本発明は、被検体内に存在する原子核スピンの磁気共鳴現象を利用して被検体内の画像を得るＭＲＩ（磁気共鳴イメージング）装置及び画像のＷＷ（ウィンドウ幅）／ＷＬ（ウィンドウレベル）の設定方法にかかり、とくに、マルチスライス撮影等で得られる表示画像のＷＷ／ＷＬを、そのスライス位置を変数とする高次方程式を元に設定する方法に関する。
【従来の技術】
【０００６】
磁気共鳴イメージングは、静磁場中に置かれた被検体の原子核スピンをラーモア周波数の高周波信号で磁気的に励起し、この励起に伴って発生するＦＩＤ（自由誘導減衰）信号やエコー信号から被検体内の画像を得る手法である。この磁気共鳴イメージングは、とくに、被検体の解剖学的な断層像を非侵襲的に得る手法として極めて有効である。
【０００７】
このような磁気共鳴イメージングの分野において、マルチスライス撮影等で得られる画像の各画素値は、ＣＴ装置で得られる画像のＣＴ値とは異なり、画像内の被写体のボリュームや内容物（臓器）の影響を強く受けるため、同一の撮影条件で収集したものであっても、画像毎に変動して異なった値となる。
【０００８】
そこで、得られた複数枚の画像は、その診断目的とする部分が容易に観察できるように、表示ウィンドウの設定により画素の濃淡値（例えば、表示器の表示階調が２５６階調の場合には０（暗）〜２５５（明））が決められる。表示ウィンドウの設定は、濃淡値の中心の値になる画素値、すなわちウィンドウレベル（Window Level：以下、「ＷＬ」と呼ぶ）と、濃淡値に変換される画素値の幅、すなわちウィンドウ幅（Window Width：以下、「ＷＷ」と呼ぶ）との各調整・設定によって行なわれる。ＷＬ／ＷＷの各調整・設定は、マルチスライス撮影等で得られる画像の場合、１スライス毎又は複数スライス（グループ）毎に行なわれる。
【発明が解決しようとする課題】
【０００９】
上述した従来例のＭＲＩ装置では、マルチスライス撮影等で得られる全ての画像に対し、各スライス毎に個別にＷＷ／ＷＬを調整したり、あるいは複数のスライスを１グループとして全体のスライスを複数のグループに分け、その各グループ単位で同一のＷＷ／ＷＬを持つように調整する等のステップ状に調整したりする必要があった。
【００１０】
従って、ＷＷ／ＷＬを画像単位で設定する場合は、スライス枚数×２（ＷＬ／ＷＷ）の変数を扱う必要があるため、その枚数に比例して設定に多くの時間がかかり、またグループ単位でステップ状に設定・調整する場合は、設定に要する時間は短縮されるものの、画像単位の場合と比べ、きめ細かな設定・調整ができず、ＷＷ／ＷＬの調整が最適の状態とならない場合もある等、いずれの場合も不都合があった。
【００１１】
本発明は、このような従来の事情を考慮になされたもので、得られた各画像のＷＷ／ＷＬの設定・調整の時間を短縮すると共に、きめ細かな設定で各画像のＷＷ／ＷＬの調整を最適にすることができるＭＲＩ装置及び画像のＷＷ／ＷＬの設定方法を提供することを目的とする。
【課題を解決するための手段】
【００１２】
本発明は、上記目的を達成するため、マルチスライス撮影等で得られる各画像の画素値がそのスライス間で連続性をもつという事実を前提として、各画像のＷＬ／ＷＷを、そのスライス位置を変数とする高次方程式に置き換えて調整・設定するものである。
【００１３】
本発明における高次方程式の最も簡単な例として、二次方程式を例示できる。二次方程式の場合、表示画像のＷＬ／ＷＷは、例えば次式で表現される。
【数１】
ＷＬ＝ＡＬ×（Ｐ−ＢＬ）２＋ＣＬ
ＷＷ＝ＡＷ×（Ｐ−ＢＷ）２＋ＣＷ
ここで、Ｐは表示画像のスライス位置、ＡＬ、ＢＬ、ＣＬ、ＡＷ、ＢＷ、ＣＷは係数をそれぞれ示す。
【００１４】
この二次方程式を用いれば、３画像を選択しそのＷＬ／ＷＷを調整・設定することにより上記二次方程式の各係数を決定し、その各係数が決定された二次方程式に基づいて他の画像のＷＬ／ＷＷを一括して推定することができる。
【００１５】
すなわち、上記二次方程式の各係数ＡＬ、ＢＬ、ＣＬ、ＡＷ、ＢＷ、ＣＷは、得られた対象画像の内、スライス位置の異なる任意の３画像を、所定のユーザーインターフェースを用いた操作者のアクション（マウス操作等）又はあらかじめ設定された選択条件（例えば、スライス方向の両端部２箇所及び中心部１箇所の計３箇所等）により選択し、そのＷＬ／ＷＷを調整・設定することにより算出される。これで算出された二次方程式に基づいて、他の表示画像のＷＬ／ＷＷが設定され、その条件で表示器上に表示される。
【００１６】
また、上記二次方程式を用いる場合には、各係数を直接設定するためのユーザーインターフェースを設けることができる。これによれば、各係数を直接設定することにより、表示画像のＷＬ／ＷＷを確認しながら一括して設定することができる。
【００１７】
上記の例は、二次方程式の場合であるが、三次以上の高次方程式の場合も同様に適用可能である。
【００１８】
従って、従来法では、スライス枚数×２（ＷＬ／ＷＷ）の変数を取り扱うのに対し、本発明では、高次方程式の係数×２（ＷＬ／ＷＷ）の変数を扱うことになり、調整する変数の絶対数を減らすことができる。従って、単純な操作で、全ての画像のＷＬ／ＷＷを設定する手段を提供することができる。
【００１９】
本発明は、このような着想の元に完成されたものである。
【００２０】
本発明に係る画像のＷＷ／ＷＬの設定方法は、ＭＲＩ装置により得られた複数スライスの対象画像に対してその画面表示の際のＷＷ（ウィンドウ幅）及びＷＬ（ウィンドウレベル）を設定する方法であって、前記対象画像の内の任意の複数スライスの対象画像を選択するステップと、選択された選択画像のＷＷ及びＷＬを設定するステップと、前記選択画像で設定されたＷＷ及びＷＬから、ＷＷ及びＷＬの高次方程式を求めるステップと、前記高次方程式に基づいて前記対象画像の内の残りの対象画像のＷＷ及びＷＬを決定するステップと、を備えることを特徴とする方法である。
【００２１】
本発明に係る画像のＷＷ／ＷＬの設定方法は、前記高次方程式の所定係数を変更可能に設定し、この係数設定値に基づいて前記対象画像のＷＷ及びＷＬを一括して決定するステップをさらに備えることができる。また、前記高次方程式は、例えば二次方程式である。
【００２２】
また、本発明に係るＭＲＩ装置は、複数スライスの対象画像に対してその画面表示の際のＷＷ（ウィンドウ幅）及びＷＬ（ウィンドウレベル）を設定する処理手段を有するものであって、前記処理手段は、前記対象画像の内の任意の複数スライスの対象画像を選択する手段と、選択された選択画像のＷＷ及びＷＬを設定する手段と、前記選択画像で設定されたＷＷ及びＷＬから、ＷＷ及びＷＬの高次方程式を求める手段と、前記高次方程式に基づいて前記対象画像の内の残りの対象画像のＷＷ及びＷＬを決定する手段とを備えたことを特徴とするものである。
【００２３】
本発明に係るＭＲＩ装置において、前記処理手段は、前記高次方程式の所定係数を変更可能に設定し、この係数設定値に基づいて前記対象画像のＷＷ及びＷＬを一括して決定する手段をさらに備えることができる。
【発明の実施の形態】
【００２４】
以下、本発明に係るＭＲＩ装置及び画像のＷＷ（ウィンドウ幅）／ＷＬ（ウィンドウレベル）の設定方法の実施の形態を添付図面を参照して説明する。
【００２５】
図１に本実施形態に係るＭＲＩ（磁気共鳴イメージング）装置の概略構成を示す。このＭＲＩ装置は、被検体Ｐを載せる寝台部と、静磁場を発生させる静磁場発生部と、静磁場に位置情報を付加するための傾斜磁場発生部と、高周波信号を送受信する送受信部と、システム全体のコントロール及び画像再構成を担う制御・演算部とを備えている。
【００２６】
静磁場発生部は、図１に示す例では、例えば超電導方式の磁石１と、この磁石１に電流を供給する静磁場電源２とを備え、被検体Ｐが遊挿される円筒状の開口部（診断用空間）の軸方向（Ｚ軸方向）に静磁場Ｈ０を発生させる。なお、この磁石部にはシムコイル１４が設けられている。このシムコイル１４には、後述するコントローラの制御下で、シムコイル電源１５から静磁場均一化のための電流が供給される。寝台部は、被検体Ｐを載せた天板を磁石１の開口部に退避可能に挿入できる。
【００２７】
傾斜磁場発生部は、図１に示す例では、例えば磁石１に組み込まれた傾斜磁場コイルユニット３を備える。この傾斜磁場コイルユニット３は、図示に示す如く、互いに直交するＸ、Ｙ、Ｚ軸方向の傾斜磁場を発生させるための３組（種類）のｘ、ｙ、ｚコイル３ｘ〜３ｚと、このｘ、ｙ、ｚコイル３ｘ〜３ｚに電流を供給する傾斜磁場電源４とを備える。
【００２８】
この傾斜磁場電源４は、後述するシーケンサ５の制御のもと、ｘ，ｙ，ｚコイル３ｘ〜３ｚに傾斜磁場を発生させるためのパルス電流を供給する。傾斜磁場電源４からｘ、ｙ、ｚコイル３ｘ〜３ｚに供給されるパルス電流を制御することにより、物理軸としての３軸であるＸ、Ｙ、Ｚ方向の傾斜磁場を合成して、論理軸としてのスライス方向傾斜磁場ＧＳ、位相エンコード方向傾斜磁場ＧＥ、および読出し方向（周波数エンコード方向）傾斜磁場ＧＲの各方向を任意に設定・変更することができる。スライス方向、位相エンコード方向、および読出し方向の各傾斜磁場は静磁場Ｈ０に重畳される。
【００２９】
送受信部は、図１に示す例では、例えば磁石１内の撮影空間にて被検体Ｐの近傍に配設されるＲＦコイル７と、このコイル７に接続された送信器８Ｔ及び受信器８Ｒとを備える。この送信器８Ｔ及び受信器８Ｒは、後述するシーケンサ５の制御のもとで、磁気共鳴（ＭＲ）現象を起こさせるためのラーモア周波数のＲＦ電流パルスをＲＦコイル７に供給する一方、ＲＦコイル７が受信した高周波のＭＲ信号を受信し、各種の信号処理を施して、対応するデジタル信号を形成するようになっている。
【００３０】
制御・演算部は、図１に示す例では、シーケンサ（シーケンスコントローラとも呼ばれる）５、ホスト計算機６、演算ユニット１０、記憶ユニット１１、表示器１２、および入力器１３を備える。
【００３１】
この内、ホスト計算機６は、シーケンサ５のほか、演算ユニット１０、記憶ユニット１１、および表示器１２を含む装置全体の動作を統括する機能を有するとともに、スキャン計画時のユーザーインターフェースの機能も果たす。つまり、ホスト計算機６は、記憶したソフトウエアの手順に基づき、オペレータが指令した情報を受け付け、この情報に基づくスキャンシーケンス情報をシーケンサ５に指令する対話式のユーザーインターフェースを、表示器１２及び入力器１３と共に提供するようになっている。
【００３２】
シーケンサ５は、ＣＰＵおよびメモリを備え、ホスト計算機６から送られてきたパルスシーケンス情報を記憶し、このパルスシーケンス情報にしたがって傾斜磁場電源４、送信器８Ｔ、受信器８Ｒの一連の動作を制御する。また、このシーケンサ５は、受信器８ＲからのＭＲ信号のデジタルデータを一旦入力して、再構成処理を行う演算ユニット１０にそのデータを転送する。ここでのパルスシーケンス情報とは、一連のパルスシーケンスに従い傾斜磁場電源４、送信器８Ｒおよび受信器８Ｔを動作させるために必要な全ての情報であり、例えばｘ，ｙ，ｚコイル３ｘ〜３ｚに印加するパルス電流の強度、印加時間、印加タイミングなどに関する情報を含む。
【００３３】
演算ユニット１０は、入力する生データの読み込み、画像のフーリエ空間（ｋ空間または周波数空間とも呼ばれる）への生データの配置、データのアベレージング処理、生データを実空間データに再構成する再構成処理（例えば二次元または３次元のフーリエ変換処理）、３次元画像データから二次元画像データを生成するためにＭＩＰ（最大値投影）処理等を適宜な順番で行うようになっている。
【００３４】
記憶ユニット１１は、生データおよび再構成画像データのみならず、演算処理の過程で生成される各種のデータを一時的に保管することができる。表示器１２は画像を表示する。また、術者は入力器１３を介して所望のスキャン条件、スキャンシーケンス、画像処理法など、撮影条件を指定する上で必要な情報をホスト計算機６に入力できるようになっている。
【００３５】
上記制御・演算部のその他の要素として、図１に示す例では、音声発生器１６、および、ＥＣＧセンサ１７、ＥＣＧユニット１８が設けられている。音声発生器１６は、シーケンサ５またはホスト計算機６からの指示に応答して、患者（被検体）に息止めのための音声メッセージを発生する。また、ＥＣＧセンサ１７およびＥＣＧユニット１８は患者の心電図信号を検出してシーケンサ５に出力するようになっており、これにより心電同期撮影を行うことができる。
【００３６】
ここで、本実施形態に係る画像のＷＷ／ＷＬの設定方法を図２及び図３に基づいて説明する。
【００３７】
この方法は、前述した通り、ＭＲＩ装置のマルチスライス撮影等で得られる各画像の画素値がそのスライス間で連続性をもつという事実を前提として、各画像のＷＬ／ＷＷを、そのスライス位置を変数とする高次方程式に置き換えて調整・設定することを骨子とするもので、図１に示す例では、ホスト計算機６の処理を通して表示器１２及び入力器１３と共に提供されるユーザーインターフェースの機能によって実現される。
【００３８】
本実施形態では、上記高次方程式の例として、例えば、次の（１）式及び（２）式で定義される二次方程式を仮定する。
【数２】
ＷＬ＝ＡＬ×（Ｐ−ＢＬ）２＋ＣＬ        ……（１）
ＷＷ＝ＡＷ×（Ｐ−ＢＷ）２＋ＣＷ        ……（２）
上記（１）式及び（２）式において、Ｐは、表示画像のスライス位置、ＡＬ、ＢＬ、ＣＬ、ＡＷ、ＢＷ、ＣＷは、係数をそれぞれ示す。
【００３９】
まず、上記二次方程式を仮定した方法の一例として、任意の３画像から他のＷＷ／ＷＬを推定する場合を図２及び図３に基づいて説明する。図２は概要図、図３は処理フローをそれぞれ示す。
【００４０】
この場合、図２に示すように上記ＭＲＩ装置による撮影で得られた各スライス位置Ｐ（図２の例ではＰ１〜Ｐ８）の対象画像ＩＭ（図２の例ではＩＭ１〜ＩＭ８）が表示器１２上に表示される。この対象画像ＩＭの表示に際し、各ＷＷ／ＷＬ（図２中の例ではＷＷ１／ＷＬ１〜ＷＷ８／ＷＬ８）が設定される。このＷＷ／ＷＬ設定に際し、上記ユーザーインターフェースを通して、ホスト計算機６により、図３に示す処理が実行される。
【００４１】
図３において、まず、対象画像ＩＭの内の任意の３画像（図２に示す例では３画像ＩＭ２、ＩＭ５、及びＩＭ７）が選択され、その３画像の各ＷＷ／ＷＬが調整、設定される（ステップＳ１）。この操作は、操作者が、表示器１２上の対象画像ＩＭ１〜ＩＭ８を見ながら、入力器１３を操作するマウス操作等のアクションにより行なわれる。
【００４２】
次いで、上記のような操作者のアクションにより任意の３画像の各ＷＷ／ＷＬが設定されると、その値に応じて、上記（１）式及び（２）式の各係数ＡＬ、ＢＬ、ＣＬ、ＡＷ、ＢＷ、ＣＷが算出され、スライス位置Ｐを変数とするＷＷ／ＷＬの二次方程式が求められる（ステップＳ２）。図２に示す例では、選択された３画像ＩＭ２、ＩＭ５、及びＩＭ７に関して、各ＷＬ２、ＷＬ５、及びＷＬ７により上記（１）式中の係数ＡＬ、ＢＬ、ＣＬが、また各ＷＷ２、ＷＷ５、及びＷＷ７により上記（１）式中の係数ＡＷ、ＢＷ、ＣＷがそれぞれ算出される。
【００４３】
次いで、上記で計算されたＷＷ／ＷＬの二次方程式に基づいて、他の画像のＷＷ／ＷＬが設定され、そのＷＷ／ＷＬの設定条件で表示器１２上に画像表示される（ステップＳ３）。図２に示す例では、非選択の５画像ＩＭ１、ＩＭ３、ＩＭ４、ＩＭ６、及びＩＭ８に関して、ＷＷ１／ＷＬ１、ＷＷ３／ＷＬ３、ＷＷ４／ＷＬ４、ＷＷ６／ＷＬ６、及びＷＷ８／ＷＬ８が設定される。
【００４４】
従って、本実施形態によれば、任意の３画像のＷＷ／ＷＬより求まる二次方程式から他の画像のＷＷ／ＷＬを一括して設定できるため、１スライス毎又は複数スライス（グループ）毎に設定していた従来法の場合と比べると、調整する変数の絶対数を減らすことができ、より簡便な操作で全てのＷＬ／ＷＷを設定することができる。この設定値は、高次方程式で規定される精度で求まるため、従来法と比べると、きめ細かなものとなる。
【００４５】
なお、本実施形態では、二次方程式の場合を例示してあるが、本発明はこれに限らず３次以上の高次方程式の場合でも適用可能である。また、任意の３画像を操作者の手動操作で選択する場合を説明しているが、本発明はこれに限らず、予め設定された選択条件（例えば、スライス方向の両端部２箇所及び中心部１箇所の計３箇所等）で３画像を自動で選択することも可能である。
【００４６】
また、本実施形態では、画像のＷＷ／ＷＬを設定するためのユーザーインターフェースは、ＭＲＩ装置に一体に設けてあるが、その他、画像表示・画像処理用のワークステーションやＰＣ（パーソナルコンピュータ）等の処理装置に設けても良い。
【００４７】
次に、上記実施形態の変形例を図４及び図５に基づいて説明する。図４は概要図、図５は処理フローをそれぞれ示す。
【００４８】
この変形例では、上記ＭＲＩ装置の構成に加え、ホスト計算機６の処理により表示器１２及び入力器（本例ではマウスを含む）１３と共に提供されるユーザーインターフェースの機能に、二次方程式（前述した（１）式及び（２）式）の各係数（前述のＡＬ、ＢＬ、ＣＬ、ＡＷ、ＢＷ、ＣＷ）を直接設定する機能を追加し、これにより各画像のＷＷ／ＷＬを一括して設定するものである。
【００４９】
この場合、図４に示すように上記ＭＲＩ装置による撮影で得られた所定スライス位置Ｐ（図４中の例ではＰ１１〜Ｐ１９）の対象画像（図４中の例でＩＭ１１〜ＩＭ１９）が所定の表示形式（図４中の例では３枚（横：水平方向）×３枚（縦：垂直方向））で表示器１２上に表示される（図４中の表示画面Ａ１参照）。この対象画像の表示に際し、各ＷＷ／ＷＬが設定される。このＷＷ／ＷＬ設定に際し、上記ユーザーインターフェースを通して、ホスト計算機６により、図５に示す処理が実行される。
【００５０】
図５において、まず、上記ユーザーインターフェースを通した操作者の操作により、二次方程式の係数の内の所望の係数（１つ又は複数の係数）とマウス操作（水平方向移動及び垂直方向移動）との対応付けの設定が行なわれる（ステップＳ１１）。この設定は、図４に示す例では、表示器１２上の操作画面Ａ２を見ながら、マウス操作の水平方向移動及び垂直方向移動に対応付ける二次方程式の各係数ＡＬ、ＢＬ、ＣＬ、ＡＷ、ＢＷ、ＣＷを選択、指定する操作により行なわれる（図４に示す操作画面Ａ４中の選択画面Ａ３、Ａ４において白四角が非選択の場合、黒四角が選択した場合をそれぞれ示す）。この例では、二次方程式の各係数の内、係数ＡＬ、ＢＬがマウス操作の水平方向移動に、また係数ＡＷがマウス操作の垂直方向移動にそれぞれ対応付けられている。
【００５１】
次いで、表示器１２上の対象画像を見ながら、入力器１３のマウスを上下方向ａ及び左右方向ｂに動かすことにより、その移動方向及び移動量に応じて上記で対応付けた二次方程式の係数を変化させる。図４に示す例では、マウスを上下方向ａに動かすと、上記のマウス操作の垂直方向移動に対応させた二次方程式の係数ＡＬ、ＢＬが変化し、マウスを左右方向ｂに動かすと、上記のマウス操作の水平方向移動に対応させた二次方程式の係数ＡＷが変化する（図４中の表示器上に表示されない部分Ｂ１中のグラフ参照）。このように二次方程式の係数を変化させることにより、当該係数が再計算される（ステップＳ２２）。
【００５２】
次いで、再計算された係数の二次方程式に基づいて、対象画像のＷＷ／ＷＬを計算し、そのＷＷ／ＷＬの表示条件で画像を表示器上に表示する（ステップＳ２３）。その後、マウス操作に対応させる上記二次方程式の係数を変更する場合には、同様の処理が繰り返し行なわれる（ステップＳ２４）。
【００５３】
従って、この変形例によれば、上記（１）式及び（２）式中の各係数ＡＬ、ＢＬ、ＣＬ、ＡＷ、ＢＷ、ＣＷを調整、設定する機能を追加したため、この機能により直接、二次方程式の係数を設定してその二次方程式に基づいて各画像のＷＷ／ＷＬを求めることができ、より簡便に調整することができる。
【００５４】
なお、本発明は、代表的に例示した上述の実施形態及びその変形例に限定されるものではなく、当業者であれば、特許請求の範囲の記載内容に基づき、その要旨を逸脱しない範囲内で種々の態様に変形、変更することができる。これらの変更、変形例も本発明の権利範囲に属するものである。
【発明の効果】
【００５５】
以上説明したように、本発明によれば、得られた各画像のＷＷ／ＷＬの設定・調整の時間を短縮すると共に、きめ細かな設定で各画像のＷＷ／ＷＬの調整を最適にすることができる。
【図面の簡単な説明】
【００５６】
【図１】
本発明の実施形態に係るＭＲＩ装置の概略構成を示すブロック図。
【図２】
二次方程式を仮定して３画像から他の画像のＷＷ／ＷＬを推定する場合を説明する図。
【図３】
図２に示す場合の処理手順の概略を示すフローチャート。
【図４】
二次方程式を仮定して係数を直接変更することによりＷＷ／ＷＬを推定する場合を説明する図。
【図５】
図４に示す場合の処理手順の概略を示すフローチャート。
【符号の説明】
【００５７】
１  磁石
２  静磁場電源
３  傾斜磁場コイルユニット
４  傾斜磁場電源
５  シーケンサ
６  ホスト計算機（ユーザーインターフェース）
７  ＲＦコイル
８Ｔ  送信器
８Ｒ  受信器
１０  演算ユニット
１１  記憶ユニット
１２  表示器（ユーザーインターフェース）
１３  入力器（ユーザーインターフェース）
１７  ＥＣＧセンサ
１８  ＥＣＧユニット
ＷＷ  ウィンドウ幅
ＷＬ  ウィンドウレベル
ＩＭ  対象画像
Ｐ  スライス位置
ＡＬ、ＢＬ、ＣＬ  ＷＬの二次方程式の係数
ＡＷ、ＢＷ、ＣＷ  ＷＷの二次方程式の係数